(57)【要約】      （修正有）【課題】絶縁シートの先端縁がカバーケースに引っ掛かることを防止可能な電気機器およびこの電気機器を具備する照明器具を提供する。【解決手段】電気機器１は、底面部２ａおよび一対の側面部２ｂ，２ｂを有する金属製のベースケース２と、ベースケース２の内面に沿って配置され、両端部３ａ，３ｂがそれぞれ一対の側面部２ｂ，２ｂよりも上方に突出している絶縁シート３と、絶縁シート３を介してベースケース２の底面部２ａ側に配置されている回路基板４と、天板部５ａおよび側板部５ｃの境界部分１５に設けられ、絶縁シート３の両端部３ａ，３ｂのうち少なくとも一方の先端縁３ａａ，３ｂｂに部分的に当接するように内側に突出形成されたリブ部１６を有し、ベースケース２に嵌着された金属製のカバーケース５を具備している。【選択図】図１
2010277719.tif 000002
【特許請求の範囲】
【請求項１】
長方形状の底面部およびこの底面部の長手方向に沿う両側から立ち上がるように形成された一対の側面部を有する金属製のベースケースと；  このベースケースの内面に沿って配置され、両端部がそれぞれ前記一対の側面部よりも上方に突出している絶縁シートと；  電気部品が実装され、前記絶縁シートを介して前記ベースケースの底面部側に配置されている回路基板と；  天板部と、この天板部の長手方向に沿う両側から下方に前記ベースケースの一対の側面部の外面に重なり合うように形成された一対の側板部と、前記天板部および前記側板部の境界部分に設けられ、前記一対の側板部が前記ベースケースの一対の側面部の外面に重なり合う方向に移動したときに前記絶縁シートの両端部のうち少なくとも一方の先端縁に部分的に当接するように内側に突出形成されたリブ部とを有し、前記ベースケースに嵌着されている金属製のカバーケースと；を具備していることを特徴とする電気機器。
【請求項２】
回路基板が放電ランプを点灯させる点灯回路を構成する電気部品を実装している請求項１記載の電気機器と；  この電気機器により点灯される放電ランプと；  前記電気機器および前記放電ランプを配設している器具本体と；を具備していることを特徴とする照明器具。
【発明の詳細な説明】
【技術分野】
【０００１】
本発明は、電気部品を実装した回路基板を金属製のケースに収納して形成される電気機器およびこの電気機器を配設している照明器具に関する。
【背景技術】
【０００２】
例えば、電気機器としての放電ランプ用点灯装置は、蛍光ランプ等の放電ランプを点灯させるものであり、所謂電子安定器と称されるものが提供されている。この電子安定器は、電気部品が実装された回路基板を金属製のベースケースおよびカバーケースの間に、これらから電気絶縁して配置し、ベースケースおよびカバーケースを連結して構成されている。  
【０００３】
そして、電子安定定器は、前記電気絶縁のために、ベースケースおよびカバーケースの内面を絶縁シートで覆っている。例えば、ベースケースの内面に沿って配置されるベース側絶縁シートと、カバーケースの内面に沿って配置されるカバー側絶縁シートとにより、回路基板が包まれる放電灯点灯装置が提案されている（特許文献１参照。）。この従来技術の放電灯点灯装置は、ベース側絶縁シートの両側片の出幅方向の先端縁と、カバー側絶縁シートの幅方向両端部とが、互いに近接ないし軽微に接する関係となり、両絶縁シートが略筒状に連続するように組み合わされ、これにより、回路基板がケースに対して絶縁されるものである。  
【０００４】
また、１枚の絶縁シートにより、回路基板（電気機器本体）が包まれる電気機器が提案されている（特許文献２参照。）。この従来技術の電気機器は、シート状の絶縁体（絶縁シート）がケース本体（ベースケース）およびケース蓋体（カバーケース）の形状に沿って変形可能であり、電気機器本体を包囲するとともに、一端側が内側に、他端側が外側となるように互いに重なっているものである。  
【０００５】
この電気機器のように、１枚の絶縁シートを用いると、ベース側絶縁シートおよびカバー側絶縁シートの２枚の絶縁シートを用いる場合に比べて、絶縁シートの重なり合う部分を小さくすることができるので、絶縁シートの使用量を削減することができるという利点を有する。
【先行技術文献】
【特許文献】
【０００６】
【特許文献１】特許第４０６２９０２号公報（第８頁、第６図）
【特許文献２】特許第３９００３３３号公報（第４頁、第１図）
【発明の概要】
【発明が解決しようとする課題】
【０００７】
しかしながら、ケース蓋体は、１枚の平板を左右それぞれ二段に折り曲げて、一対の側部、一対の傾斜部および水平部を有する長尺枠体に形成されているので、例えば図３に示す放電ランプ用点灯装置１７のように、ケース蓋体５がケース本体２に嵌着されるときに、絶縁シート３の一端部３ａの先端縁３ａａまたは他端部３ｂの先端縁３ｂｂがその長手方向でケース蓋体５の側部５ｃおよび傾斜部５ｂの折り曲げ部（境界部）１５に引っ掛かり、絶縁シート３の一端部３ａまたは他端部３ｂがケース蓋体５の内面に沿って変形しないことがあった。  
【０００８】
本発明は、絶縁シートの先端縁がカバーケースに引っ掛かることを防止可能な電気機器およびこの電気機器を具備する照明器具を提供することを目的とする。
【課題を解決するための手段】
【０００９】
請求項１に記載の電気機器の発明は、長方形状の底面部およびこの底面部の長手方向に沿う両側から立ち上がるように形成された一対の側面部を有する金属製のベースケースと；このベースケースの内面に沿って配置され、両端部がそれぞれ前記一対の側面部よりも上方に突出している絶縁シートと；電気部品が実装され、前記絶縁シートを介して前記ベースケースの底面部側に配置されている回路基板と；天板部と、この天板部の長手方向に沿う両側から下方に前記ベースケースの一対の側面部の外面に重なり合うように形成された一対の側板部と、前記天板部および前記側板部の境界部分に設けられ、前記一対の側板部が前記ベースケースの一対の側面部の外面に重なり合う方向に移動したときに前記絶縁シートの両端部のうち少なくとも一方の先端縁に部分的に当接するように内側に突出形成されたリブ部とを有し、前記ベースケースに嵌着されている金属製のカバーケースと；を具備していることを特徴とする。  
【００１０】
本発明および以下の発明において、特に言及しない限り、各構成は以下による。  
【００１１】
「上方」または「下方」とは、ベースケースの底面部を例えば地上面に置いたときの重力が作用する方向を「下方」、その反対を「上方」としている。  
【００１２】
「ベースケースの内面」とは、底面部の内面および一対の側面部のそれぞれの内面である。  
【００１３】
絶縁シートは、ベースケースの一対の側面部から上方に向かって撓むことなく突出するほどの剛性を有するとともに弾性を有する電気絶縁材であり、例えばポリエステルフィルムを用いて形成することができる。  
【００１４】
天板部は、例えば、平坦状の水平部に形成されていてもよく、カバーケースの幅方向において断面山形に形成された一対の傾斜部に形成されていてもよく、カバーケースの幅方向において断面台形である水平部およびこの水平部の長手方向両側から下方に傾斜する一対の傾斜部に形成されていてもよい。  
【００１５】
回路基板は、例えば、ベースケースの底面部や一対の側面部に設けられた支持部などに支持され、側縁側がベースケースやカバーケースに設けられた支持片や係止片などにより押えられることにより固定される。  
【００１６】
リブ部は、カバーケースの天板部および側板部の境界部分において、カバーケースをその外側から内側に突出させて形成してもよく、突出部材を前記境界部分に接着材により固着して形成してもよい。  
【００１７】
「嵌着」とは、例えば、カバーケースの一対の側板部がベースケースの一対の側面部を挟持していること、一対の側板部および一対の側面部に設けられた係合部および係合受部が係合することなどにより、カバーケースがベースケースに取り付けられることを意味する。  
【００１８】
本発明によれば、カバーケースの一対の側板部がベースケースの一対の側面部の外面に重なり合う方向に移動したときに、ベースケースの一対の側面部から上方に突出している絶縁シートの両端部のうち少なくとも一方の先端縁がカバーケースのリブ部に当接する。リブ部は、天板部および側板部の境界部分に突出形成されていて、絶縁シートの先端縁に部分的に当接するので、絶縁シートからの圧力を部分的に受け、比較的弱い圧力を受ける。この圧力は、絶縁シートの先端縁をリブ部に止めるほどの圧力ではない。リブ部は、絶縁シートからの圧力により、絶縁シートの先端縁を引っ掛けることなく天板部の内面側に案内するようになる。絶縁シートの両端部は、カバーケースの一対の側板部がベースケースの一対の側面部の外面に重なり合うにしたがい、カバーケースの一対の側板部間に移動される。絶縁シートは、その長手方向で回路基板を被って金属製のケースと電気絶縁する。  
【００１９】
請求項２に記載の照明器具の発明は、回路基板が放電ランプを点灯させる点灯回路を構成する電気部品を実装している請求項１記載の電気機器と；この電気機器により点灯される放電ランプと；前記電気機器および前記放電ランプを配設している器具本体と；を具備していることを特徴とする。  
【００２０】
本発明によれば、回路基板が放電ランプを点灯させるように構成された請求項１記載の電気機器を配設する照明器具が提供される。
【発明の効果】
【００２１】
請求項１の発明によれば、カバーケースをベースケースに嵌着させるときに、カバーケースのリブ部が絶縁シートの両端部の先端縁に部分的に当接し、当該先端縁を天板部の内面側に案内し、絶縁シートの両端部をカバーケースの一対の側板部間に移動させるので、絶縁シートの先端縁が天板部および側板部の境界部分などに引っ掛かることを防止することができ、絶縁シートが回路基板を被って回路基板とベースケースおよびカバーケースとを効果的に電気絶縁することができる。  
【００２２】
請求項２の発明によれば、放電ランプを点灯させるように構成された回路基板と金属製のケースとを効果的に電気絶縁する請求項１記載の電気機器を具備するので、品質や信頼性の向上した照明器具を提供することができる。
【図面の簡単な説明】
【００２３】
【図１】本発明の実施例１を示す電気機器であり、（ａ）は概略縦断面図、（ｂ）は一部切り欠き概略横断面図。
【図２】同じく、ベースケースにカバーケースを取り付けている状態の電気機器を示し、（ａ）はカバーケースに絶縁シートが挿入されている状態の概略縦断面図、（ｂ）はカバーケース内で絶縁シートが移動されている状態の概略縦断面図。
【図３】従来の電気機器を示し、カバーケースに絶縁シートが引っ掛かっている状態の概略縦断面図。
【図４】本発明の実施例２を示す照明器具であり、（ａ）は概略上面図、（ｂ）は概略正面図、（ｃ）は一部切り欠き概略側面図。
【発明を実施するための形態】
【００２４】
以下、本発明の一実施の形態について図面を参照して説明する。  
【００２５】
本発明において、カバーケースは、その天板部および側板部の内面側の境界部分にリブ部が設けられている。このリブ部は、ベースケースにカバーケースを嵌着するときに、絶縁シートの両端部の先端縁に部分的に当接するように、カバーケースの内側に突出形成されている。電気部品を実装している回路基板は、絶縁シートの両端部が互いに重なり合うことにより絶縁シートにより被われ、金属製のベースケースおよびカバーケースと電気絶縁される。
【実施例１】
【００２６】
図１ないし図３は、本発明の実施例１を示し、図１は電気機器であり、（ａ）は概略縦断面図、（ｂ）は一部切り欠き概略横断面図、図２はベースケースにカバーケースを取り付けている状態の電気機器を示し、（ａ）はカバーケースに絶縁シートが挿入されている状態の概略縦断面図、（ｂ）はカバーケース内で絶縁シートが移動されている状態の概略縦断面図、図３は従来の電気機器を示し、カバーケースに絶縁シートが引っ掛かっている状態の概略縦断面図である。  
【００２７】
図１において、電気機器１は、放電ランプを点灯させる放電ランプ用点灯装置であり、ベースケース２、絶縁シート３、回路基板４およびカバーケース５を有して構成されている。ベースケース２は、絶縁シート３を介して回路基板４を収容している。絶縁シート３は、回路基板４を被って、回路基板４と金属製のベースケース２およびカバーケース５との電気的接触を防止している。回路基板４は、放電ランプを点灯させる点灯回路６を構成する電気部品７を実装している。カバーケース５は、ベースケース２との間で回路基板４を収容するようにベースケース２に嵌着されている。  
【００２８】
ベースケース２は、例えば１枚の金属製であって長方形状の平板を折り曲げて、底面部２ａおよび一対の側面部２ｂ，２ｂに形成されている。金属としては、例えば鋼板やアルミニウム合金が用いられている。すなわち、底面部２ａは、細長い長方形状に形成されている。一対の側面部２ｂ，２ｂは、底面部２ａの長手方向に沿う両側から上方に立ち上がるように折り曲げられて形成され、底面部２ａとほぼ直交し互いに対向している。そして、一対の側面部２ｂ，２ｂは、長手方向の両側の側縁２ｂｃ，２ｂｃが下側に向かって拡がるように傾斜しており、全体として略台形状に形成されている。  
【００２９】
そして、底面部２ａの長手方向の両端部２ａａ，２ａｂおよび中央部２ａｃには、回路基板４を支持する複数個の支持片８が切り起しにより形成されている。また、両端部２ａａ，２ａｂ側には、底面部２ａの長手方向において回路基板４の移動を規制する複数個の起立片９が切り起しにより形成されている。  
【００３０】
また、一対の側面部２ｂ，２ｂの長手方向の両端部２ｂａ，２ｂｂの外面には、複数個の開口１０が形成されている。この開口１０は、一対の側面部２ｂ，２ｂにおいて回路基板４の上面４ａ側に位置するとともに、カバーケース５の両端にそれぞれ設けられた係止片１１を挿入可能な大きさに形成されている。また、一対の側面部２ｂ，２ｂは、その両端部２ｂａ，２ｂｂ側の外面に図示しない
嵌合凹部が形成されている。  
【００３１】
絶縁シート３は、平面状に形成された弾性変形可能であって電気絶縁性の樹脂例えばポリエチレンテレフタレート（ＰＥＴ）樹脂からなり、ベースケース２の内面に沿ってベースケース２に配置され、両端部３ａ，３ｂがベースケース２の一対の側面部２ｂ，２ｂよりも上方に突出している。そして、ベースケース２にカバーケース５が嵌着されていないときには、図２（ａ）に示すように、一端部３ａおよび他端部３ｂがベースケース２から上方に起立して突出するように、ある程度の剛性を有している。また、一端部３ａの突出長を他端部３ｂの突出長よりも大きくしているとともに、カバーケース５内において一端部３ａおよび他端部３ｂが互いに重なり合うことのできるようにそれらの突出長が予め設定されている。絶縁シート３は、例えば０．２〜１．０ｍｍの厚さを有している。  
【００３２】
図１において、絶縁シート３は、ベースケース２の底面部２ａに設けられた支持片８に対応する部位には図示しない孔が形成されており、当該孔に支持片８を挿通させて底面部２ａに密接している。また、絶縁シート３は、回路基板４の電気部品７を被うとともにカバーケース５に収納されるように、その長手方向の大きさが予め設定されている。  
【００３３】
回路基板４は、放電ランプを点灯させる点灯回路６を構成する電気部品７を実装している。回路基板４は、例えばガラスエポキシ材や紙フェノール材などからなり、長方形状に形成され、その長手方向の寸法がベースケース２の底面部２ａに設けられた起立片９，９間よりも幾分小さく、その幅寸法が一対の側面部２ｂ，２ｂ間の寸法から絶縁シート３の厚さ分を減じた値より幾分小さくなるようにしている。  
【００３４】
そして、回路基板４は、その上面４ａにおいて、長手方向の両端側にそれぞれ入力用端子台１２および出力用端子台１３を配設している。入力用端子台１２には、商用交流電源からの電源線が接続され、出力用端子台１３からは、放電ランプが装着されるランプソケットに接続されるリード線が導出される。  
【００３５】
電気部品７は、入力用端子台１２および出力用端子台１３の間に実装され、抵抗Ｒ１，Ｒ２、コンデンサＣ１、インダクタＬ１やトランジスタＱ１，Ｑ２などによって、交流電圧を直流電圧に変換する直流電源回路、直流電圧を高周波交流電圧に変換するインバータ回路や放電ランプに共振電圧を印加する共振回路などを形成し、全体としての点灯回路６を形成している。  
【００３６】
そして、回路基板４は、絶縁シート３を介してベースケース２の底面部２ａ側に配置されている。すなわち、回路基板４は、底面部２ａと平行となるようにして、その下面４ｂが底面部２ａに設けられた支持片８に支持され、その上面４ａがカバーケース５の係止片１１により係止されており、上方および下方の方向に対する移動が規制されている。また、回路基板４は、ベースケース２の底面部２ａに設けられた起立片９，９により、その長手方向の移動が規制されている。  
【００３７】
カバーケース５は、例えば鋼板やアルミニウム合金からなり、例えば１枚の平板の折り曲げにより、長方形状の天板部５ａ、この天板部５ａの長手方向に沿う両端に連設し天板部５ａに対して互いに内向きに傾斜する一対の傾斜板部５ｂ，５ｂ、この傾斜板部５ｂ，５ｂの長手方向に沿う両端に連設し、ほぼ平行に対向する一対の側板部５ｃ，５ｃおよび天板部５ａの長手方向の両端に連設し天板部５ａとほぼ直交してカバーケース５の長手方向の両端側の開口１４の上側を略閉塞する略５角形状の一対の端板部５ｄ，５ｄに形成されている。一対の側板部５ｃ，５ｃは、一対の傾斜板部５ｂ，５ｂを介して天板部５ａの長手方向に沿う両側から下方に形成されているものである。また、一対の傾斜板部５ｂ，５ｂは、ベースケース２の一対の側面部２ｂ，２ｂ間を天板部５ａとともに覆い、天板部５ａの一部として機能する。  
【００３８】
また、カバーケース５は、傾斜板部５ｂおよび側板部５ｃの境界部分１５にリブ部１６を形成している。このリブ部１６は、カバーケース５の外面から内面側にプレス成型し、境界部分１５の内面に突出形成されている。そして、リブ部１６は、図１（ａ）に示すように側面視略三角形に形成され、図１（ｂ）に示すように正面視略菱形に形成され、その頂部１６ａが直線状に形成されており、傾斜板部５ｂおよび側板部５ｃ間に傾斜して、当該傾斜板部５ｂおよび側板部５ｃの境界部分１５を滑らかにしている。また、リブ部１６は、図１（ｂ）に示すように、一対の側板部５ｃ，５ｃの長手方向の中央部５ｃｃ側および両端部５ｃａ，５ｃｂ側にそれぞれ形成されている。すなわち、リブ部１６は、傾斜飯部５ｂおよび側板部５ｃの境界部分１５の６箇所に設けられている。  
【００３９】
リブ部１６は、図２（ａ）に示すように、ベースケース２の一対の側面部２ｂ，２ｂの外面に一対の側板部５ｃ，５ｃが重なり合う方向に移動するときに、ベースケース２から起立して突出している絶縁シート３の一端部３ａの先端縁３ａａおよび他端部３ｂの先端縁３ｂｂに部分的に当接する。すなわち、リブ部１６の頂部１６ａは、絶縁シート３の両端部３ａ，３ｂの先端縁３ａａ，３ｂｂに点接触のように部分的に当接する。リブ部１６は、絶縁シート３の圧力のうちの部分的な圧力により押圧され、その押圧力は非常に小さいものとなっている。絶縁シート３の先端縁３ａａ，３ｂｂは、頂部１６ａの当接部分に止まりにくく、容易に移動可能となる。  
【００４０】
また、リブ１６は、その頂部１６ａがカバーケース５の傾斜板部５ｂおよび側板部５ｃの境界部分１５に傾斜して跨り、当該境界部分１５を滑らかにしている。リブ１６は、図２（ｂ）に示すように、絶縁シート３の一端部３ａの先端縁３ａａおよび他端部３ｂの先端縁３ｂｂを、一対の側面部２ｂ，２ｂの外面に一対の側板部５ｃ，５ｃが重なり合うにしたがい、傾斜板部５ｂの内面および天板部５ａの内面に沿うようにして一対の側板部５ｃ，５ｃ間に移動させる。  
【００４１】
図１において、カバーケース５は、その長手方向が回路基板４の入力用端子台１２および出力用端子台１３の間に位置する大きさに形成され、一対の端板部５ｄ，５ｄがそれぞれ入力用端子台１２および出力用端子台１３の近傍に位置している。また、ベースケース２にカバーケース５を嵌着したときに、一対の側板部５ｃ，５ｃの開放端５ｃｄ，５ｃｄがベースケース２の底面部２ａの位置よりも下方側に突出しないように、一対の側板部５ｃ，５ｃの出幅寸法（長手方向と直交する方向の寸法）が設定されている。また、端板部５ｄの開放端５ｄａが回路基板４の上面４ａに当接することがないように、端板部５ｄの天板部５ａからの深さ（高さ）が設定されている。  
【００４２】
そして、一対の側板部５ｃ，５ｃは、その内面がベースケース２の一対の側面部２ｂ，２ｂの外面に重なり合うことができるように、一対の側板部５ｃ，５ｃの間隔が設定されている。一対の側板部５ｃ，５ｃは、天板部５ａに対して拡開するとともに弾性復帰するものである。  
【００４３】
そして、一対の側板部５ｃ，５ｃのそれぞれの一端側５ｃａおよび他端側５ｃｂに、ベースケース２の一対の側面部２ｂ，２ｂの外面に形成された嵌合凹部に嵌合する図示しない凸部が形成されている。カバーケース５は、一対の側板部５ｃ，５ｃの内面をベースケース２の一対の側面部２ｂ，２ｂの外面に重なり合わせて、凸部を嵌合凹部に嵌合させることにより、ベースケース２に嵌着される。  
【００４４】
なお、カバーケース５には、ベースケース２およびカバーケース５の内部を外気と通気させる長方形状の孔（スリット孔）を設けてもよい。  
【００４５】
次に、本発明の実施例１の作用について述べる。  
【００４６】
ベースケース２にカバーケース５を嵌着するには、図２（ａ）に示すように、絶縁シート３の一端部３ａおよび他端部３ｂをカバーケース５内に挿入し、カバーケース５を下方に移動させる。絶縁シート３は、ベースケース２から突出している一端部３ａの突出長が他端部３ｂの突出長よりも大きいので、まず、一端部３ａの先端縁３ａａがリブ１６の頂部１６ａに当接する。このとき、リブ部１６の頂部１６ａは、カバーケース５の傾斜板部５ｂおよび側板部５ｃの境界部分１５を跨いで直線状に形成されているので、絶縁シート３の先端縁３ａａに部分的に当接し、絶縁シート３からの圧力のうちの部分的な圧力が加わる。この圧力は、絶縁シート３の一端部３ａをリブ部１６に強く押し付けるほどの圧力ではなく、また、リブ部１６の頂部１６ａは、カバーケース５の傾斜板部５ｂおよび側板部５ｃ間に直線状に傾斜し、絶縁シート３の当接方向に対して傾斜角を有するので、絶縁シート３の一端部３ａの先端縁３ａａは、リブ部１６に引っ掛かる（止まる）ことなく、リブ部１６の頂部１６ａに沿って傾斜板部５ｂの内面側に案内される。  
【００４７】
そして、カバーケース２を下方に移動させるにしたがい、絶縁シート３の一端部３ａの先端縁３ａａは、傾斜板部５ｂの内面および天板部５ａの内面に沿って移動していく。  
【００４８】
一方、絶縁シート３の他端部３ｂは、カバーケース２を下方に移動させるにしたがい、カバーケース２内に深く挿入していく。そして、一対の側板部５ｃ，５ｃの内面がベースケース２の側面部２ｂ，２ｂの外面に重なり合うときには、他端部３ｂの先端縁３ｂｂは、図２（ｂ）に示すように、リブ部１６の頂部１６ａに当接し、傾斜板部５ｂの内面に沿って移動していく。絶縁シート３の一端部３ａおよび他端部３ｂのそれぞれの先端縁３ａａ，３ｂｂは、一対の側板部５ｃ，５ｃ間において、互いに向き合うようにして接近していく。  
【００４９】
そして、カバーケース５の凸部をベースケース２の嵌合凹部に嵌合し、カバーケース５がベースケース２に嵌着されると、絶縁シート３の一端部３ａおよび他端部３ｂは、図１に示すように、互いに重なり合うようになり、電気部品７を実装している回路基板４を長手方向で被う。これにより、回路基板４は、絶縁シート３により金属製のベースケース２およびカバーケース５と電気絶縁される。  
【００５０】
上述したように、カバーケース５の傾斜板部５ｂおよび側板部５ｃの境界部分１５にリブ部１６を設けることにより、絶縁シート３の一端部３ａおよび他端部３ｂのそれぞれの先端縁３ａａ，３ｂｂが前記境界部分１５などに引っ掛かることなく、一対の側板部５ｃ，５ｃ間に移動して互いに重なり合うことができ、絶縁シート３が回路基板４を被って回路基板４とベースケース２およびカバーケース５とを効果的に電気絶縁することができる。  
【００５１】
なお、図３に示す電気機器１７は、図１に示す電気機器１において、カバーケース５の傾斜板部５ｂおよび側板部５ｃの境界部分１５にリブ部１６を設けていない従来の一例である。電気機器１７は、ベースケース２にカバーケース５を嵌着するときに、カバーケース５の下方への移動方向の位置ずれによって、前記境界部分１５の長手方向に絶縁シート３の一端部３ａまたは他端部３ｂの先端縁３ａａ，３ｂｂの少なくとも一方がその長手方向において引っ掛かることがあった。  
【００５２】
そして、電気機器１において、リブ部１６は、一対の側板部５ｃ，５ｃの長手方向に亘って形成するのではなく、中央部５ｃｃ側および両端部５ｃａ，５ｃｂ側に形成しているので、リブ部１６の形成箇所を少なくすることができ、これにより、電気機器１を安価に形成することができる。  
【００５３】
なお、リブ部１６は、カバーケース５において型材によるプレス成型で形成したが、突出部材を形成し、接着材を用いてカバーケース５の傾斜板部５ｂおよび側板部５ｃの境界部分１５に固着して形成してよい。
【実施例２】
【００５４】
図４は、本発明の実施例２を示す照明器具であり、（ａ）は概略上面図、（ｂ）は概略正面図、（ｃ）は一部切り欠き概略側面図である。なお、図１と同一部分には、同一符号を付して説明は省略する。
【００５５】
図４に示す照明器具１８は、天井等の造営物に設置される直付け照明器具である。照明器具１８は、逆富士形に形成された器具本体１９の内部に図１に示す放電ランプ用点灯装置１を配設している。また、器具本体１９の長手方向の両端側には、それぞれ対を成すランプソケット取付金具２０，２０がねじ２１により固定されている。このランプソケット取付金具２０，２０にランプソケット２２，２２が取り付けられている。そして、ランプソケット２２，２２に放電ランプとしての直管形の蛍光ランプ２３が装着されている。
【００５６】
蛍光ランプ２３は、放電ランプ用点灯装置１の動作により点灯する。蛍光ランプ２３が点灯すると、蛍光ランプ２３からの放射光が直接光および器具本体１９の反射面で反射された反射光となって被照射面側に照射される。
【００５７】
照明器具１８は、回路基板４と金属製のベースケース２およびカバーケース５とが効果的に電気絶縁される放電ランプ用点灯装置１を具備しているので、品質や信頼性を向上させることができる。
【産業上の利用可能性】
【００５８】
本発明の電機機器は、放電ランプ用点灯装置の他、モータを駆動させる駆動装置、定電流や定電圧を出力する電源装置などに用いることができる。
【符号の説明】
【００５９】
１…電気機器としての放電ランプ用点灯装置、  ２…ベースケース、  ２ａ…底面部、  ２ｂ，２ｂ…一対の側面部、  ３…絶縁シート、  ３ａ，３ｂ…両端部、  ３ａａ，３ｂｂ…先端縁、  ４…回路基板、  ５…カバーケース、  ５ａ…天板部、  ５ｃ，５ｃ…一対の側板部、  １６…リブ部、  １８…照明器具、  １９…器具本体、  ２３…放電ランプとしての蛍光ランプ
【図１】
2010277719.tif 000003
【図２】
2010277719.tif 000004
【図３】
2010277719.tif 000005
【図４】
2010277719.tif 000006